(57)【要約】【課題】 ユーザに経済的な負担をかけずに、購入しようとしている商品（食品）に忌避すべきアレルギー源が含まれているか否かを容易にチェックできるようにする。【解決手段】  商品40の陳列棚50の価格表示部60には、RFIDタグ20が付されている。RFIDタグ20には、商品40に含まれているアレルギー源を示すアレルギー源情報が記録されている。購買者30が携帯するRFIDタグ読取装置10には、購買者30自身により、忌避するアレルギー源を示すアレルギー源情報が設定されている。購買者30は、商品40を購入しようとする際、RFIDタグ読取装置10をRFIDタグ20にかざす。これにより、RFIDタグ読取装置10は、RFIDタグ20からアレルギー源情報を読み取り、読み取ったアレルギー源情報と購買者30により設定されているアレルギー源情報とを比較し、商品40に忌避すべきアレルギー源が含まれているか否かを判定し、判定結果を出力する。【選択図】      図1
2005063338.tif 000002
【特許請求の範囲】
【請求項１】
商品に含まれているアレルギー源を示すアレルギー源情報が記録されたタグと、
該タグに記録されているアレルギー源情報を読み取り、該読み取ったアレルギー源情報と、予め設定されているユーザが忌避すべきアレルギー源を示すアレルギー源情報とに基づいて、前記商品に前記ユーザが忌避すべきアレルギー源が含まれているか否かを判定し、判定結果を出力するタグ読取装置とを含むことを特徴とするアレルギー源回避販売システム。
【請求項２】
請求項１記載のアレルギー源回避販売システムにおいて、
前記タグ読取装置が、
前記タグに記録されているアレルギー源情報を読み取る読取手段と、
ユーザが忌避すべきアレルギー源を示すアレルギー源情報が格納されるアレルギー源記憶部と、
前記読取手段で読み取ったアレルギー源情報と前記アレルギー源記憶部に格納されているアレルギー源情報とに基づいて、前記商品にユーザが忌避すべきアレルギー源が含まれているか否かを判定する判定手段と、
該判定手段の判定結果を出力する出力手段とを備えたことを特徴とするアレルギー源回避販売システム。
【請求項３】
請求項２記載のアレルギー源回避販売システムにおいて、
前記出力手段が、
前記判定手段によって忌避すべきアレルギー源が含まれていると判定された場合、鳴動或いは点灯する構成を有することを特徴とするアレルギー源回避販売システム。
【請求項４】
請求項２記載のアレルギー源回避販売システムにおいて、
前記出力手段が、
前記判定手段によって忌避すべきアレルギー源が含まれていないと判定された場合、鳴動或いは点灯する構成を有することを特徴とするアレルギー源回避販売システム。
【請求項５】
請求項２記載のアレルギー源回避販売システムにおいて、
前記判定手段が、
前記読取手段で読み取られたアレルギー源情報の中から、前記アレルギー源記憶部に格納されているアレルギー源情報と一致するものを検出する構成を有し、
前記出力手段が、
前記判定手段で検出されたアレルギー源情報が示すアレルギー源を表示する構成を有することを特徴とするアレルギー源回避販売システム。
【請求項６】
請求項１乃至５記載の何れか１項に記載のアレルギー源回避販売システムにおいて、
前記タグがＲＦＩＤタグであることを特徴とするアレルギー源回避販売システム。
【請求項７】
商品に含まれているアレルギー源を示すアレルギー源情報が記録されているタグからアレルギー源情報を読み取り、該読み取ったアレルギー源情報と、予め設定されているユーザが忌避すべきアレルギー源を示すアレルギー源情報とに基づいて、前記商品に前記ユーザが忌避すべきアレルギー源が含まれているか否かを判定し、判定結果を出力する構成を有することを特徴とするタグ読取装置。
【請求項８】
商品に含まれているアレルギー源を示すアレルギー源情報が記録されているタグからアレルギー源情報を読み取る読取手段と、
ユーザが忌避すべきアレルギー源を示すアレルギー源情報が格納されるアレルギー源記憶部と、
前記読取手段で読み取ったアレルギー源情報と前記アレルギー源記憶部に格納されているアレルギー源情報とに基づいて、前記商品にユーザが忌避すべきアレルギー源が含まれているか否かを判定する判定手段と、
該判定手段の判定結果を出力する出力手段とを備えたことを特徴とするタグ読取装置。
【請求項９】
読取手段が、商品に含まれているアレルギー源を示すアレルギー源情報が記録されているタグからアレルギー源情報を読み取り、
判定手段が、前記読取手段によって読み取られたアレルギー源情報と、予め設定されているユーザが忌避すべきアレルギー源を示すアレルギー源情報とに基づいて、前記商品に前記ユーザが忌避すべきアレルギー源が含まれているか否かを判定し、
出力手段が、前記判定手段の判定結果を出力することを特徴とするアレルギー源回避販売方法。
【発明の詳細な説明】
【技術分野】
【０００１】
本発明は、スーパーマーケット等の店舗での販売に関し、特にアレルギー源（アレルゲン）が食品に混入しているのかどうかの懸念を有する購買者への便宜を払った、販売システム及び方法に関する。
【背景技術】
【０００２】
スーパーマーケット等の店舗でアレルギー患者が食する食品を購入する場合、購入しようとする食品一つ一つについてアレルギー源となる原材料が使用されているか否かをチェックしなければならない。このチェックは、一般に、食品の包装紙やパッケージに記載されている内容物表示に基づいて行なうが、購入しようとする食品一つ一つについて内容物表示を読むという作業は、非常に煩わしいという問題がある。
【０００３】
一方、このような問題を解決するため、従来、次のような技術が提案されている（例えば、特許文献１参照）。
【０００４】
この特許文献１に記載されている従来の技術は、図７に示すように、各ユーザのユーザ端末100-1〜100-nと、サーバ200と、両者を接続するネットワーク300とから構成されている。
【０００５】
ユーザ端末100-1〜100-nは、ユーザが携帯可能な端末であり、例えば、携帯電話機によって実現されている。
【０００６】
サーバ200は、ユーザ情報部201と、商品情報部202とを備えている。ユーザ情報部201には、ユーザ毎に、そのユーザが忌避すべきアレルギー源を示すアレルギー源情報が格納されている。商品情報部202には、商品毎に、その商品に含まれているアレルギー源を示すアレルギー源情報が格納されている。
【０００７】
ユーザは、スーパーマーケットなどの店舗において、食品を購入する際、先ず、自身のユーザ端末（例えば、ユーザ端末100-1）を用いてサーバ200にアクセスする。その後、ユーザは、購入しようとしている食品を特定する商品特定情報(商品名や、商品に付されているバーコード等)を、自身のユーザ端末からサーバ200へ送る。
【０００８】
サーバ200は、ユーザ端末100-1から商品特定情報が送られてくると、ユーザ情報部201からユーザ端末100−1のユーザがアレルギー反応を起こすアレルギー源のアレルギー源情報を取り出すと共に、商品情報部202から商品特定情報が示す商品に含まれているアレルギー源のアレルギー源情報を取り出す。そして、両者に同一のアレルギー源情報が含まれている場合は、ユーザ端末100-1に対して商品購入不許可を送信し、含まれていない場合は、商品購入許可を送信する。
【０００９】
ユーザ端末100-1のユーザは、サーバ200から商品購入許可が送られてきた場合は、商品を購入し、商品購入不許可が送られてきた場合は、商品の購入を差し控える。
【特許文献１】特開２００３−５８５５０号公報
【発明の開示】
【発明が解決しようとする課題】
【００１０】
上述した特許文献１に記載されている従来の技術によれば、購入しようとしている商品に付されている内容物表示を読むことなく、その商品に忌避すべきアレルギー源が含まれているか否かを知ることが可能になる。しかし、上述した従来の技術は、サーバと通信を行なうための通信費や、サーバの運営者に支払う会費等が必要になるため、ユーザの経済的な負担が大きくなるという問題がある。
【００１１】
〔発明の目的〕
そこで、本発明の目的は、ユーザに経済的な負担をかけずに、購入しようとしている商品（食品）に忌避すべきアレルギー源が含まれているか否かを容易にチェックできるようにすることにある。
【課題を解決するための手段】
【００１２】
本発明にかかる第１のアレルギー源回避販売システムは、上記目的を達成するため、
商品に含まれているアレルギー源を示すアレルギー源情報が記録されたタグと、
該タグに記録されているアレルギー源情報を読み取り、該読み取ったアレルギー源情報と、予め設定されているユーザが忌避すべきアレルギー源を示すアレルギー源情報とに基づいて、前記商品に前記ユーザが忌避すべきアレルギー源が含まれているか否かを判定し、判定結果を出力するタグ読取装置とを含むことを特徴とする。
【００１３】
より具体的には、本発明にかかる第２のアレルギー源回避販売システムは、第１のアレルギー源回避販売システムにおいて、
前記タグ読取装置が、
前記タグに記録されているアレルギー源情報を読み取る読取手段と、
ユーザが忌避すべきアレルギー源を示すアレルギー源情報が格納されるアレルギー源記憶部と、
前記読取手段で読み取ったアレルギー源情報と前記アレルギー源記憶部に格納されているアレルギー源情報とに基づいて、前記商品にユーザが忌避すべきアレルギー源が含まれているか否かを判定する判定手段と、
該判定手段の判定結果を出力する出力手段とを備えたことを特徴とする。
【００１４】
また、本発明にかかる第３のアレルギー源回避販売システムは、第２のアレルギー源回避販売システムにおいて、
前記出力手段が、
前記判定手段によって忌避すべきアレルギー源が含まれていると判定された場合、鳴動或いは点灯する構成を有することを特徴とする。
【００１５】
また、本発明にかかる第４のアレルギー源回避販売システムは、第２のアレルギー源回避販売システムにおいて、
前記出力手段が、
前記判定手段によって忌避すべきアレルギー源が含まれていないと判定された場合、鳴動或いは点灯する構成を有することを特徴とする。
【００１６】
また、本発明にかかる第５のアレルギー源回避販売システムは、購入しようとしている商品に含まれている、忌避すべきアレルギー源をユーザが認識できるようにするため、第２のアレルギー源回避販売システムにおいて、
前記判定手段が、
前記読取手段で読み取られたアレルギー源情報の中から、前記アレルギー源記憶部に格納されているアレルギー源情報と一致するものを検出する構成を有し、
前記出力手段が、
前記判定手段で検出されたアレルギー源情報が示すアレルギー源を表示する構成を有することを特徴とする。
【００１７】
また、本発明にかかる第６のアレルギー源回避販売システムは、忌避すべきアレルギー源が含まれているか否かを効率良くチェックできるようにするため、第１〜第５の何れか１つのアレルギー源回避販売システムにおいて、
前記タグがＲＦＩＤタグであることを特徴とする。
【発明の効果】
【００１８】
第１の効果は、ユーザに経済的な負担をかけることなく、購入しようとしている商品に忌避すべきアレルギー源が含まれているか否かを容易にチェックできるという点である。その理由は、タグ読取装置を用いてタグに記録されているアレルギー源情報を読み取るだけで、商品に忌避すべきアレルギー源が含まれているか否かを判定することができ、従来の技術のように、サーバと通信するための通信費やサポート運営者へ支払う会費等が必要ないからである。
【００１９】
第２の効果は、効率良く、忌避すべきアレルギー源が含まれているか否かをチェックできるという点である。その理由は、タグとしてＲＦＩＤタグを使用しており、離れた位置からでもそこに記録されているアレルギー源情報を読み取ることができるからである。つまり、移動することなく、一カ所にとどまって複数の商品について、忌避すべきアレルギー源が含まれているか否かをチェックすることができるからである。
【発明を実施するための最良の形態】
【００２０】
次に本発明の実施の形態について図面を参照して詳細に説明する。
【００２１】
〔構成の説明〕
図１を参照すると、本発明の実施の形態は、店舗で買い物をする購買者３０が携帯する読取指向性のあるＲＦ（Radio Frequency）ＩＤタグ読取装置１０と、商品（食品）４０が陳列されている陳列棚５０の価格表示部６０に固定されたＲＦＩＤタグ２０とで構成される。
【００２２】
ＲＦＩＤタグ２０には、商品４０に含まれているアレルギー源を示すコードが記録されている。ＲＦＩＤタグ２０へのコードの書き込みは、商品４０の製造時、流通運搬時、店舗搬入後の何れにおいて行なっても良い。
【００２３】
ＲＦＩＤタグ読取装置１０は、ＲＦＩＤタグ２０に記録されているアレルギー源を示すコードを読み取る機能や、購買者３０によって指定された忌避すべきアレルギー源を示すコードとＲＦＩＤタグ２０から読み取ったコードとに基づいて、商品４０に購買者３０が忌避すべきアレルギー源が含まれているか否かを判定する機能を有する。
【００２４】
このような機能を有するＲＦＩＤタグ読取装置１０は、例えば、図２のブロック図に示す構成を有する。
【００２５】
図２に示すように、ＲＦＩＤタグ読取装置１０は、読取手段１１と、判定手段１２と、アレルギー源記憶部１３と、出力モード記憶部１４と、設定手段１５と、キーボード等の入力部１６と、ＬＣＤ等の表示部１７と、ＬＥＤ等の発光素子１８と、ブザー１９とから構成されている。
【００２６】
読取手段１１は、読取指向性を有するものであり、ＲＦＩＤタグ２０に記録されているアレルギー源を示すコードを読み取る機能を有している。
【００２７】
設定手段１５は、購買者３０によって指定された忌避すべきアレルギー源を示すコードをアレルギー源記憶部１３に格納する機能や、購買者３０によって指定された出力モードを示す出力モード情報を出力モード記憶部１４に格納する機能を有する。本実施の形態では、第１出力モード、第２出力モードの２つの出力モードを指定でき、第１出力モードの指定時には、購入しようとした商品４０に忌避すべきアレルギー源が含まれている場合、発光素子１８、ブザー１９がそれぞれ点灯、鳴動し、第２出力モードの指定時には、購入しようとした商品４０に忌避すべきアレルギー源が全く含まれていない場合、発光素子１８、ブザー１９がそれぞれ点灯、鳴動する。
【００２８】
判定手段１２は、読取手段１１がＲＦＩＤタグ２０から読み取ったアレルギー源のコードと、アレルギー源記憶部１３に格納されている購買者３０が忌避すべきアレルギー源のコードとに基づいて、商品４０に購買者３０が忌避すべきアレルギー源が含まれているか否かを判定する機能や、判定結果と出力モード記憶部１４に格納されている出力モード情報とに基づいて発光素子１８、ブザー１９を制御する機能や、商品４０に含まれている購買者３０が忌避すべきアレルギー源を表示部１７に表示する機能を有する。
【００２９】
〔動作の説明〕
次に本実施の形態の動作について詳細に説明する。
【００３０】
購買者３０は来店時に店舗からＲＦＩＤタグ読取装置１０の貸与を受ける。その後、購買者３０は、ＲＦＩＤタグ読取装置１０の電源をＯＮにする。これにより、ＲＦＩＤタグ読取装置１０内の設定手段１５は、忌避するアレルギー源を選択させるためのアレルギー源選択画面を表示部１７に表示する（図３、ステップＳ３１）。図４にアレルギー源選択画面の一例を示す。図４のアレルギー源選択画面は、アレルギー源の選択欄４１と、次ページボタン４２と、決定ボタン４３とを備えている。
【００３１】
購買者３０は、図４に示すアレルギー源選択画面が表示されると、入力部１６を操作し、忌避するアレルギー源の選択欄４１をチェックする。現在表示されているページ中のアレルギー源以外にも忌避したいアレルギー源がある場合は、次ページボタン４２を操作し、次ページを表示させる。忌避するアレルギー源を全て選択すると、購買者３０は、決定ボタン４３を操作する。
【００３２】
これにより、設定手段１５は、購買者３０がアレルギー源選択画面を用いて選択したアレルギー源に対応するコードをアレルギー源記憶部１３に格納する（ステップＳ３２）。その後、設定手段１５は、出力モードを選択させるための出力モード選択画面を表示部１７に表示する（ステップＳ３３）。図５に出力モード選択画面に一例を示す。図５の出力モード選択画面は、第１出力モードの選択欄５１と、第２出力モードの選択欄５２と、決定ボタン５３とを備えている。
【００３３】
購買者３０は、図５に示す出力モード選択画面が表示されると、選択欄５１或いは選択欄５２をチェックする。即ち、購入しようとしている商品に忌避すべきアレルギー源が含まれている場合に発光素子１８、ブザー１９を点灯、鳴動させるのであれば、選択欄５１をチェックし、購入しようとしている商品に忌避すべきアレルギー源が全く含まれていない場合に発光素子１８、ブザー１９を点灯、鳴動させるのであれば、選択欄５２をチェックする。出力モードを選択すると、購買者３０は決定ボタン５３を操作する。
【００３４】
これにより、設定手段１５は、購買者３０が選択した出力モードを示す出力モード情報を出力モード記憶部１４に格納する（ステップＳ３４）。
【００３５】
その後、購買者３０は、上記したようにして忌避するアレルギー源や出力モードを設定したＲＦＩＤタグ読取装置１０を携帯して店内を移動する。そして、購入したい商品（例えば、商品４０）の陳列棚５０の前にくると、ＲＦＩＤタグ読取装置１０を価格表示部６０のＲＦＩＤタグ２０にかざし、入力部１６に設けられている読取ボタン（図示せず）を操作する。
【００３６】
これにより、ＲＦＩＤタグ読取装置１０内の読取手段１１は、ＲＦＩＤタグ２０から出力されているアレルギー源のコードを読み込み、判定手段１２に渡す（図６、ステップＳ６１）。
【００３７】
判定手段１２は、読取手段１１からアレルギー源のコードが渡されると、その内の１つに注目する（ステップＳ６２）。その後、判定手段１２は、現在注目中のコードと同一のコードがアレルギー源記憶部１３に格納されているか否かを調べる（ステップＳ６４）。そして、同一コードが格納されていない場合（ステップＳ６４がＮＯ）は、ステップＳ６２に戻り、次のコードに注目する。これに対して、同一コードが格納されている場合（ステップＳ６４がＹＥＳ）は、上記コードを内部に保持した後（ステップＳ６５）、ステップＳ６２に戻る。
【００３８】
以上の処理を、読取手段１１から渡された全てのコードについて行なうと（ステップＳ６３がＮＯ）、判定手段１２は、出力モード記憶部１４を参照し、購買者３０によって設定されている出力モードが第１出力モードであるのか、第２出力モードであるのかを調べる（ステップＳ６６）。
【００３９】
そして、第１出力モードが設定されている場合（ステップＳ６６がＹＥＳ）は、ステップＳ６５で保持したコードがあるか否かを調べる（ステップＳ６７）。保持しているコードがない場合、即ち購入しようとしている商品４０に忌避するアレルギー源が含まれていない場合（ステップＳ６７がＮＯ）は、処理を終了する。これに対して、保持しているコードがある場合、即ち購入しようとしている商品４０に忌避するアレルギー源が含まれている場合（ステップＳ６７がＹＥＳ）は、保持している各コードそれぞれについて、そのコードに対応するアレルギー源の名称を表示部１７に表示し（ステップＳ６８）、更に、発光素子１８、ブザー１９をそれぞれ点灯、鳴動させ（ステップＳ６９）、その後、処理を終了する。このように、第１出力モードは、忌避するアレルギー源が商品に含まれている場合のみ、発光素子１８、ブザー１９を点灯、鳴動させるモードであるので、発光素子１８、ブザー１９をあまり点灯、鳴動させたくなく、且つ忌避するアレルギー源が含まれている商品が少ない購買者が利用するのに好適なモードである。
【００４０】
一方、第２出力モードが設定されている場合（ステップＳ６６がＮＯ）は、ステップＳ６５で保持したコードがあるか否かを調べる（ステップＳ７０）。そして、保持しているコードない場合、即ち購入しようとしている商品４０に忌避するアレルギー源が含まれていない場合（ステップＳ７０がＮＯ）は、発光素子１８、ブザー１９をそれぞれ点灯、鳴動させた後、処理を終了する。これに対して、保持しているコードがある場合、即ち購入しようとしている商品４０に忌避するアレルギー源が含まれている場合（ステップＳ７０がＹＥＳ）は、上記コードに対応するアレルギー源の名称を表示部１７に表示した後、処理終了とする。このように、第２出力モードは、忌避するアレルギー源が商品に全く含まれていない場合のみ、発光素子１８、ブザー１９を点灯、鳴動させるモードであるので、発光素子１８、ブザー１９をあまり点灯、鳴動させたくなく、且つ殆どの商品に忌避すべきアレルギー源が含まれている購買者が利用するのに好適なモードである。
【００４１】
〔発明の他の実施の形態〕
上述した実施の形態では、価格表示部６０にＲＦＩＤタグ２０を付すようにしたが、各商品４０それぞれに、その商品に含まれているアレルギー源のコードが記録されたＲＦＩＤタグ２０を付すようにしても良い。なお、ＲＦＩＤタグ２０を商品に付す時期は、製造時、流通運搬時、店舗搬入後の何れでも良い。また、ＲＦＩＤタグ２０にアレルギー源のコードを書き込む時期も、製造時、流通運搬時、店舗搬入後の何れでも良い。
【００４２】
また、上述した実施の形態では、タグとしてＲＦＩＤタグを使用するようにしたが、タグの種類はこれに限られるものではない。例えば、光学的に読み取り可能な形式でアレルギー源を示すアレルギー源情報が記録されているタグを使用しても良い。なお、この場合には、読取手段１１として、光学的にアレルギー源情報を読み取る構成を有するものを用いれば良い。
【００４３】
また、上述した実施の形態では、ＲＦＩＤタグ読取装置１０の出力モード（第１出力モードor第２出力モード）を購買者によって選択可能としたが、このような機能を持たせなくとも良い。即ち、ＲＦＩＤタグ読取装置１０は、第１出力モード或いは第２出力モードだけでしか動作しないものであっても良い。
【図面の簡単な説明】
【００４４】
【図１】本発明の実施の形態の全体構成例を示すブロック図である。
【図２】ＲＦＩＤタグ読取装置１０の構成例を示すブロック図である。
【図３】設定手段１５の処理例を示すフローチャートである。
【図４】アレルギー源選択画面の一例を示す図である。
【図５】出力モード選択画面の一例を示す図である。
【図６】読取手段１１、判定手段１２の処理例を示すフローチャートである。
【図７】従来の技術を説明するためのブロック図である。
【符号の説明】
【００４５】
１０…ＲＦＩＤタグ読取装置
１１…読取手段
１２…判定手段
１３…アレルギー源記憶部
１４…出力モード記憶部
１５…設定手段
１６…入力部
１７…表示部
１８…発光素子
１９…ブザー
２０…ＲＦＩＤタグ
３０…購買者
４０…商品
５０…陳列棚
６０…価格表示部
４１…選択欄
４２…次ページボタン
４３…決定ボタン
５１、５２…選択欄
５３…決定ボタン
100-1〜100-n…ユーザ端末
200…サーバ
201…ユーザ情報部
202…商品情報部
300…ネットワーク
【図１】
2005063338.tif 000003
【図２】
2005063338.tif 000004
【図３】
2005063338.tif 000005
【図４】
2005063338.tif 000006
【図５】
2005063338.tif 000007
【図６】
2005063338.tif 000008
【図７】
2005063338.tif 000009